(57)【特許請求の範囲】
【請求項１】
水洗トイレ用貯水タンクの給水受皿の上面に載置される薬剤供給具であって、
固形薬剤を収容可能な供給具本体と、前記供給具本体の上方を覆う蓋体とを備え、
前記供給具本体は、水を内部に導入する取水口と、底部に形成された排出口と、前記取水口から導入された水を前記排出口に向けて案内する複数の導水路と、前記各導水路間を仕切ると共に固形薬剤の底面を支持する台座部とを備えており、
前記台座部は、隣接する前記導水路間を連通する連通路と、外部から前記連通路に臨む補助口とを備え、前記導水路及び前記連通路を通過する水が、固形薬剤の底面に接触するように構成されている薬剤供給具。
【請求項２】
前記取水口は、前記導水路ごとに設けられている請求項１に記載の薬剤供給具。
【請求項３】
前記取水口は、下部中央が下方に向けて突出するように形成されており、前記取水口の下部中央における突出部の周縁において給水受皿の上面と当接可能に構成されている請求項１または２に記載の薬剤供給具。
【請求項４】
前記導水路は、前記排出口から放射状に延びるように形成されている請求項１から３のいずれかに記載の薬剤供給具。
【請求項５】
前記供給具本体は、給水受皿の上面に載置した状態で、給水受皿の長手方向両側に位置する前記取水口の総開口面積よりも、他の位置における前記取水口の総開口面積が小さくなるように構成されている請求項１から４のいずれかに記載の薬剤供給具。
【請求項６】
前記台座部に、固形薬剤が載置されており、
固形薬剤は、前記導水路及び前記連通路を通過する水と底面が接触することにより、底面形状をほぼ一定に維持したまま溶解するように配置されている請求項１から５のいずれかに記載の薬剤供給具。
【請求項７】
前記台座部に、横断面が一定の固形薬剤が載置された請求項１から６のいずれかに記載の薬剤供給具。
【請求項８】
前記台座部に、複数層から構成された固形薬剤が載置された請求項１から７のいずれかに記載の薬剤供給具。
【請求項９】
前記供給具本体の外面に、前記取水口の下部近傍に配置された突出部と、前記排出口を中心とする前記取水口よりも径方向外方領域に配置された支持部とを備える請求項１から８のいずれかに記載の薬剤供給具。
【発明の詳細な説明】
【技術分野】
【０００１】
本発明は、薬剤供給具に関し、より詳しくは、水洗トイレ用貯水タンクの給水受皿の上面に載置される薬剤供給具に関する。
【背景技術】
【０００２】
この種の薬剤供給具として、例えば特許文献１に開示された構成が知られている。この薬剤供給具は、図１２に示すように、給水受皿の上面と接する供給具本体６０が、放射状に形成された複数の導水溝６１と、隣接する各導水溝６１，６１間を仕切る座部６２とを備えており、固形薬剤（図示せず）は、座部６２の上面と接するように搭載される。取水口６３から切欠部６４ａを介してガイドリング６４内に流入した水は、固形薬剤（図示せず）の底面と接触しながら導水溝６１を通過し、中央に形成された流出口６５から排出される。
【先行技術文献】
【特許文献】
【０００３】
【特許文献１】実開平６−８７４８１号公報
【発明の開示】
【発明が解決しようとする課題】
【０００４】
上記従来の薬剤供給具は、ガイドリング６４の内側における切欠部６４ａと対向する位置に堤６６が設けられており、切欠部６４ａから流れ込む水を左右両側の導水溝６１に分配するように構成されている。ところが、このような構成によっても、特に使用初期における薬剤の溶出が不十分になり易いという問題があった。このような問題は、給水受皿に対する給水蛇口の配置や、供給具本体をカバーする蓋体および供給具本体の形状等によって、供給具本体の外面を伝って供給具本体の内部に流れ込む給水の量が少ない場合には、より顕著となっていた。また、流通しているトイレタンクの給水受皿の形状や勾配が様々であり、給水蛇口からの水流も家庭によって差異がある為、供給具本体への入水量に偏りが生じ、使用途中に薬剤が傾く等して溶解にバラツキが生じる場合があった。
【０００５】
そこで、本発明は、薬剤の安定した溶出を可能にする薬剤供給具の提供を目的とする。
【課題を解決するための手段】
【０００６】
本発明の前記目的は、水洗トイレ用貯水タンクの給水受皿の上面に載置される薬剤供給具であって、固形薬剤を収容可能な供給具本体と、該供給具本体の上方を覆う蓋体とを備え、前記供給具本体は、水を内部に導入する取水口と、底部に形成された排出口と、前記取水口から導入された水を前記排出口に向けて案内する複数の導水路と、前記各導水路間を仕切ると共に固形薬剤の底面を支持する台座部とを備えており、前記台座部は、隣接する前記導水路間を連通する連通路と、外部から前記連通路に臨む補助口とを備え、前記導水路及び連通路を通過する水が、固形薬剤の底面に接触するように構成されている薬剤供給具により達成される。
【０００７】
この薬剤供給具において、前記取水口は、前記導水路ごとに設けられていることが好ましい。
【０００８】
また、前記取水口は、下部中央が下方に向けて突出するように形成されていてもよく、前記取水口の下部中央における突出部の周縁において給水受皿の上面と当接可能に構成することができる。
【０００９】
また、前記導水路は、前記排出口から放射状に延びるように形成されていることが好ましい。
【００１０】
また、前記供給具本体は、給水受皿の上面に載置した状態で、給水受皿の長手方向両側に位置する前記取水口の総開口面積よりも、他の位置における前記取水口の総開口面積が小さくなるように構成されていることが好ましい。
【００１１】
前記台座部には、固形薬剤が載置される。前記固形薬剤は、前記導水路及び連通路を通過する水と底面が接触することにより、底面形状をほぼ一定に維持したまま溶解するように配置されていることが好ましい。また、前記固形薬剤は、横断面が一定のものを好ましく使用することができる。或いは、前記固形薬剤は、複数層によって構成されたものも好ましく使用することができる。
【００１２】
また、前記供給具本体の外面に、前記取水口の下部近傍に配置された突出部と、前記排出口を中心とする前記取水口よりも径方向外方領域に配置された支持部とを備えることが好ましい。
【発明の効果】
【００１３】
本発明によれば、薬剤の安定した溶出を可能にする薬剤供給具を提供することができる。
【図面の簡単な説明】
【００１４】
【図１】本発明の一実施形態に係る薬剤供給具の側面図である。
【図２】図１に示す薬剤供給具における供給具本体の平面図である。
【図３】図１に示す薬剤供給具における供給具本体を上方から見た斜視図である。
【図４】図１に示す薬剤供給具における供給具本体を下方から見た斜視図である。
【図５】図３に示す薬剤供給具の変形例を示す斜視図である。
【図６】本発明の実施例の測定結果を示す図である。
【図７】本発明の比較例の測定結果を示す図である。
【図８】図１に示す薬剤供給具に収容される固形薬剤図の斜視図である。
【図９】図１に示す薬剤供給具の変形例を示す側面図である。
【図１０】図９に示す薬剤供給具における供給具本体を下方から見た斜視図である。
【図１１】本発明の実施例の他の測定結果を示す図である。
【図１２】従来の薬剤供給具における供給具本体の平面図である。
【発明を実施するための形態】
【００１５】
以下、本発明の実態形態について添付図面を参照して説明する。なお、各図面において、同様の構成部分には同一の符号を付して、繰り返しの説明を省略する。
【００１６】
図１は、本発明の一実施形態に係る薬剤供給具の側面図である。薬剤供給具１は、円柱状の固形薬剤５０を収容可能な椀状の供給具本体１０と、供給具本体１０の上方を覆う蓋体４とを備えている。
【００１７】
供給具本体１０は、横長に形成され、上縁の長手方向両側に係合部６，６を備えており、蓋体４の下縁に設けられた突部４ａ，４ａを係合部６，６に係合させることで、蓋体４が供給具本体１０に着脱可能に取り付けられる。供給具本体１０の上部には、周方向に沿って延びる窓部８が形成されており、固形薬剤５０の芳香成分の蒸散や、固形薬剤５０の残存量の確認が可能である。供給具本体１０の底部中央には、排出口１２が形成されており、排出口１２の周囲から下方に突出するように複数の脚部１３，１３が設けられている。
【００１８】
蓋体４は、合成樹脂、陶器、ガラス等から構成することができ、本実施形態においては、固形薬剤５０に直接水がかからないように開口の無いものを使用しているが、蓋体４に１または複数の揮散口を形成してもよい。
【００１９】
図２は供給具本体１０の平面図であり、図３及び図４は、供給具本体１０をそれぞれ上方及び下方から見た斜視図である。供給具本体１０は、内面の長手方向に沿って補強リブ１１が設けられている。また、供給具本体１０の内部には、排出口１２から放射状に延びる複数の導水路１４，１４が形成されており、各導水路１４，１４の外方には個別に対応するように取水口１５，１５が設けられている。本実施形態においては、供給具本体１０の長手方向両側を含む合計６箇所に、取水口１５が等間隔に形成されている。
【００２０】
導水路１４は、断面Ｖ字状に形成されており、取水口１５から排出口１２に向けて下方に傾斜している。取水口１５の下部中央は、導水路１４の形状に応じてＶ字状に下方に突出している。各取水口１５は、同一の形状を有しているが、供給具本体１０の長手方向両側に形成されたもの以外は、開口上部を覆う遮蔽片１５ｂが設けられており、これによって、供給具本体１０の長手方向両側に形成された取水口１５の総開口面積よりも、他の位置に形成された取水口１５の総開口面積が小さく設定されている。
【００２１】
各導水路１４，１４の間は、台座部１６によって仕切られており、固形薬剤５０の底面は、各台座部１６によって支持される。台座部１６は、周方向両側に隣接する導水路１４，１４の間を連通する切欠溝状の連通路１７を備えている。台座部１６の上面から連通路１７の底部までの深さは、例えば、最深部で４ｍｍ、最浅部で２ｍｍである。この深さは、浅すぎると連通路１７を設けた効果が生じにくい一方、深すぎると通過水が固形薬剤５０と接触しにくくなるため、１ｍｍ〜７ｍｍであることが好ましい。
【００２２】
台座部１６における連通路１７の径方向外方には、外部から連通路１７に臨む補助口１８が、取水口１５よりも径方向内方位置に形成されている。また、台座部１６における連通路１７の径方向内方には、排出口１２の周縁側を切り欠いた状態で上下方向に貫通する補助排出部１９が形成されている。
【００２３】
上記のように、導水路１４はＶ字状の断面を有しているため、導水路１４から連通路１７へは、昇り傾斜が形成される。この傾斜により、取水口１５から取り込まれた水が定量的に連通路１７に導かれるため、固形薬剤５０の溶解の均一化を促すことができる。連通部１７の構成は、溝状のもの以外に、例えば貫通孔やパイプ状などであってもよい。
【００２４】
各導水路１４及び台座部１６は、収容される固形薬剤５０の直径よりも僅かに大きい内径を有するリング状の遮水壁２０により囲まれている。遮水壁２０の外方には、各台座部１６に対応する位置に脱水口２１が形成されている。また、遮水壁２０の上端部は、各脱水口２１に対応する位置にスリット２２が形成されている。
【００２５】
遮水壁２０に囲まれた領域における連通路１７が占める総面積の割合は、平面視において２％以上８０％以下であることが好ましく、１０％以上３０％以下がより好ましい。前記割合を少なくとも２％以上とすることにより、連通路１７を介して水を分配する間に、固形薬剤５０との十分な接触が可能となり、薬剤底面における均一な溶出を促すことができる。
【００２６】
以上のように構成された薬剤供給具１は、供給具本体１０の遮水壁２０内に固形薬剤５０を収容することにより、固形薬剤５０の底部が各台座部１６，１６によって支持される。そして、蓋体４を閉じた状態で、図１に示すように、水洗トイレ用貯水タンクの給水受皿５２に形成された流下口５４に脚部１３，１３を挿入することにより、取水口１５における突出部１５ａの周縁が給水受皿５２の上面と当接し、薬剤供給具１が給水受皿５２の上面に載置される。給水受皿５２の形状が一般的な長方形状である場合には、供給具本体１０の長手方向が給水受皿５２の長手方向と一致するように載置することができる。
【００２７】
給水受皿５２に蛇口（図示せず）から供給された水は、主に各取水口１５から供給具本体１０に導入され、各導水路１４及び連通路１７を通過する際に、台座部１６に支持された固形薬剤５０の底面と接触し、排出口１２から排出される。このように、薬剤供給具１は、導水路１４に加えて連通路１７を有することにより、固形薬剤５０との広い接触面積を得ることができ、使用開始直後から薬剤を十分溶出させることができる。また、一部の取水口１５における取水量が少ない場合、特定の取水口１５からしか取水できない場合、使用中に固形薬剤５０の一部が崩壊して導水路１４の一部が閉塞された場合などにおいても、連通路１７を介して導水路１４，１４間の水の分配を容易に行うことができ、薬剤の溶出を安定させることができる。
【００２８】
固形薬剤５０からの薬剤の溶出は、導水路１４及び連通路１７を通過する水との接触によって、主として底面のみから略均一に行われる。したがって、固形薬剤５０を本実施形態のように円柱状とすることにより、初期の直径を維持したまま固形薬剤５０の嵩減りを生じさせることができ、使用終了まで固形薬剤５０を台座部１６において安定的に支持することができる。固形薬剤５０の形状は、円柱状以外に、角柱状など横断面が上下にわたって一定であれば、横断面を一定に維持したまま嵩減りを生じさせることができるので、上記と同様の効果を得ることができる。
【００２９】
また、固形薬剤５０の形状は、上述した横断面が一定のもの以外に、錐状、錐台状、球状など他の形状であってもよく、これらの場合も、導水路１４及び連通路１７を通過する水が固形薬剤５０の底面に略均一に接触することにより、固形薬剤５０を、底面形状がほぼ一定の状態を維持したまま溶解させることができる。
【００３０】
また、固形薬剤５０は、１層のみの構成に限定されず、複数層から構成したものを好ましく使用することができる。例えば、図８（ａ）に示すように、円柱状の中心層５０ａの周囲にリング状の外層５０ｂが例えば１：３の重量比で同心円状に配置されたもの等、中心層の周囲が１層以上の外層で覆われた複数層から構成されたものを使用することにより、上記効果と相俟って、各層から溶出する有効成分や色素等の割合を所望の値に維持することができる。このような構成を有する固形薬剤は、例えば特開２０００−１０９８９７号公報に開示された混練成形製法や、熱で成分を溶融混合し、型に充填して冷却後に型から薬剤を抜く溶融製法などにより、製造することができる。
【００３１】
固形薬剤を構成する中心層としては、界面活性剤、無機硫酸塩、有効成分（撥水剤、親水化剤、防汚剤、消臭剤、賦香剤、除菌剤、抗菌剤、殺菌剤、キレート剤、酵素、着色剤などの１又は２種以上）を含んだものを例示することができ、外層としては、界面活性剤、色素、香料、無水硫酸塩などを主として含むものを例示することができる。複数層を有する固形薬剤５０の構成は、上記以外に、例えば、図８（ｂ）に示すように、平面視扇形状（又は半円状）の各層５０ｃ，５０ｄ，５０ｅを円柱状に組み合わせたもの、図８（ｃ）に示すように、円柱状の層５０ｆ内に、これよりも小径の円柱状の層５０ｇ，５０ｈ，５０ｉが充填されたもの、図８（ｄ）に示すように、各層５０ｊ、５０ｋ、５０ｌを上下方向に積層して、下層５０ｊ全体が溶解してから上方に隣接する層５０ｋ、５０ｌが順次溶解するものを挙げることができる。なお、上記各構成において隣接する各層は、含有する１又は複数の成分のうち、１つ以上の成分について種類や割合が互いに相違していればよい。
【００３２】
また、供給具本体１０は横長に形成されており、長手方向の両側に形成された取水口１５の総開口面積よりも、他の位置に形成された取水口１５の総開口面積が小さくなるように設定されているので、最も一般的である長方形状の給水受皿５２に載置した際に、給水蛇口からの水流や、給水受皿５２の形状又は勾配等に拘わらず、各取水口１５から略均一に水を導入することができ、薬剤の十分かつ安定した溶出を促すことができる。本実施形態においては、供給具本体１０を横長に構成することで、給水受皿５２に載置したときに、開口面積の大きい取水口１５が給水受皿５２の長手方向両側に自然に位置するように構成しているが、供給具本体１０は必ずしも横長である必要はなく、蓋体４の形状や柄の配置などを適宜設定することによっても、開口面積の大きい取水口１５が給水受皿５２の長手方向両側に位置するように使用者に促すことができる。
【００３３】
更に、取水口１５は、下部中央が下方に向けて突出するように形成されているので、給水受皿５２との当接面積が少なく、薬剤供給具１を正確な姿勢で載置することができ、薬剤供給具１の外面をつたって流れ込む水の量が少ないような場合でも、給水受皿５２に供給された水を供給具本体１０内に確実に導入することができる。なお、薬剤供給具１に導入されない余剰の水は、供給具本体１０の下面と給水受皿５２との間を通過して、流下口５４からタンク内に流下する。
【００３４】
また、台座部１６には、連通路１７に臨む補助口１８が形成されているので、補助口１８を介して水の出し入れを行うことにより連通路１７を通過する水の流量を調整することができ、この点からも薬剤の十分かつ安定した溶出が可能である。補助口１８からの導水は、導水路１４から連通路１７に流れ込む水に対する呼び水としても機能し、連通路１７へのスムースな導水を促す効果も有している。
【００３５】
供給具本体１０の窓部８から浸入した水は、遮水壁２０で堰き止められて脱水口２１から流出する。また、取水口１５から過剰な量の水が導水された際には、余剰分の水はスリット２２を介して脱水口２１から流出する。よって、そのような場合においても、遮水壁２０内に水が過度にたまることはない。
【００３６】
以上、本発明の一実施形態について詳述したが、本発明の具体的な態様は上記実施形態に限定されない。例えば、本実施形態においては、取水口１５を導水路１４ごとに複数設けているが、必ずしも導水路１４に個別に対応させる必要はなく、取水口１５から水が導入された後に複数の導水路１４，１４に分配されるように構成してもよい。また、一部の取水口１５に設けた遮蔽片１５ｂは、必ずしも必要ではない。
【００３７】
本実施形態においては、連通路１７を台座部１６の径方向の略中央位置に溝状に形成し、連通路１７の内方及び外方に同程度の幅で台座部１６を残すように構成しているが、取水口１５から導入された水が各導水路１４に分配され、通過する水が使用初期の固形薬剤５０の底面と接触可能である限り、他の配置や形状であってもよい。
【００３８】
また、供給具本体１０における蓋体４の取り付け構造は、本実施形態以外に種々の態様が可能であり、例えば、図５に示すように、供給具本体１０の内面上部に複数の係合突起１０６，１０６を設け、これら係合突起１０６，１０６を、陶器等からなる蓋体の下部周囲に沿って形成した係合溝に係合させる構成にすることができる。
【００３９】
また、本実施形態においては、導水路１４を断面Ｖ字状に形成することで、取水口１５の下部中央から下方に突出する形状部分が突出部１５ａを構成しているが、この突出部１５ａは、図９及び図１０に示すように、各取水口１５の下部近傍に設けられた突片などから構成してもよい。このような突出部１５ａの下方への突出長さは特に限定されないが、例えば１ｍｍ程度である。突出部１５ａは、複数であることが好ましいが、必ずしも全ての取水口１５に設ける必要はない。このように、取水口１５の下部近傍に突出部１５ａを設けることにより、取水口１５と給水受皿５２との間に水の通過スペースを確保することができ、取水口１５の浸漬を防止することができる。突出部１５ａを突片から構成する場合、取水口１５の形状は一般的な矩形状などであってもよい。
【００４０】
更に、図９及び図１０に示す構成は、供給具本体１０の外面に細片状の支持部１０ａが設けられている。支持部１０ａは、排出口１２を中心として取水口１５よりも径方向外方に存在する領域の任意の箇所に設けることが可能であり、これによって、給水受皿５２の勾配が急で突出部１５ａが給水受皿５２と当接できないような場合や、流下口５４の口径が大きいために突出部１５ａの全体が流下口５４内に収容されるような場合でも、供給具本体１０と給水受皿５２との間にスペースを確保して、取水口１５への水の流路を確保することができ、また供給具本体１０の底面と給水受皿５２との間に隙間を確保することにより、流下口５４へのスムースな排水を行うことができる。支持部１０ａの配置は、取水口１５からの導水を妨げない位置がより好ましく、図９においては、４つの支持部１０ａが、それぞれ異なる脱水口２１の周縁近傍に分散配置されている。
【００４１】
支持部１０ａの長さは、長すぎると突出部１５ａが有効に機能しなくなるおそれがあるため、供給具本体１０内の固形薬剤５０が水平に支持された状態（すなわち、図９に示す側面視の状態）で、突出部１５ａの下端よりも支持部１０ａの下端が上方に位置することが好ましい。これによって、給水受皿５２の湾曲面に沿って供給具本体１０を設置しやすくすることができる。支持部１０ａの長さとしては、例えば４ｍｍ程度を挙げることができる。
【００４２】
このように、供給具本体１０が突出部１５ａ及び支持部１０ａを備える構成においては、薬剤供給具１が載置される給水受皿５２の形状や、給水受皿５２への水の供給量等に拘わらず、各取水口１５から供給具本体１０の内部に水を安定的に導入することができ、薬剤底面における均一な溶出をより確実にすることができる。
【００４３】
すなわち、給水受皿５２の勾配が急である場合には、図９（ａ）に示すように、支持部１０ａの下端が高さＨにおいて給水受皿５２の上面と当接し、供給具本体１０の側面と給水受皿５２との間に隙間を確保することができる。したがって、供給具本体１０の側面が給水受皿５２に密着するおそれがなく、給水受皿５２に供給された水を、取水口１５から供給具本体１０の内部に確実に導入することができる。
【００４４】
一方、給水受皿５２の勾配が緩やかである場合には、図９（ｂ）に示すように、突出部１５ａの下端が給水受皿５２の上面と当接し、供給具本体１０の底面と給水受皿５２との間に隙間を確保することができる。したがって、供給具本体１０の底面が流下口５４を閉塞するおそれがなく、給水受皿５２に水が溜まって取水口１５から必要以上の水が取り込まれることを確実に防止できる。
【実施例】
【００４５】
以下、実施例及び比較例に基づき、本発明を更に詳細に説明する。但し、本発明が以下の実施例に限定されるものではない。
【００４６】
実施例として、図１に示す構成の薬剤供給具に、小林製薬株式会社製の「ブルーレット陶器のおくだけ（すずらんの香り）」に用いられる固形薬剤を収容し、貯水タンク（東陶機器株式会社製、機種番号：Ｓ７２１Ｂ）の給水受皿に載置して、１時間に１回、「大」にてフラッシュを行った（水温：２５℃、気温：２５℃）。そして、各回における薬剤供給具を通過した水が流れ込んだ貯水タンクの貯留水を試験管に採取し、波長６３０ｎｍにおける吸光度を分光光度計（株式会社島津製作所、型番：ＵＶ−１７００）により測定した。この結果を図６（ａ）に示す。図６（ａ）は、Ｎ＝３の各吸光度を１０００倍した値で示している。また、使用した固形薬剤は２層構造であり、成分等は以下のとおりである。
（使用した固形薬剤）
外層：香料、界面活性剤、色素、酵素、キレート剤、緑茶抽出物
内層：界面活性剤、色素、キレート剤
内容量：２５ｇ （外層：内層＝３：１）
水の色：青色
吸光度×１０００の値は、５０〜１１０の範囲が最も使用感の良い色合いである。図６（ａ）から明らかなように、実施例の結果は、使用開始直後から色出が良く、且つ、使用期間を通じて安定した色出が得られていることを示している。
【００４７】
次に、薬剤供給具を載置する貯水タンクとして種々のものを使用して上記と同様の試験を行い、２０回目のフラッシュ後に採取した水の吸光度（×１０００）を測定した。この結果を図６（ｂ）に示す。図６（ｂ）から明らかなように、実施例については、試験を行ったいずれの貯水タンクについても、使用初期直後から良好な色出が得られている。
【００４８】
一方、比較例として、特開２００４−３１６４１７号公報に開示された構成（具体的には、同公報の図１４に示す蓋体と、図１６に示す供給具本体とを組み合わせた構成）の容器を使用し、収容される固形薬剤は実施例と同じものを使用して、上記と同様の試験を行った。この結果を図７（ａ）及び（ｂ）に示す。
【００４９】
図７（ａ）から明らかなように、比較例については、特に初期の色出が十分でなく、この結果は、図７（ｂ）に示すように他の貯水タンクについても同様であった。また、実施例と比較して、使用期間全体における色出の安定性も劣る結果であった。
【００５０】
なお、各貯水タンクの給水受皿に供給される水の量は、図６（ｂ）に１０秒間の値として示すとおりであり、実際には給水受皿に水が６０秒間供給される。すなわち、給水受皿への水の供給総量は、図６（ｂ）に示す値の６倍である。
【００５１】
次に、供給具本体１０に突出部１５ａ及び支持部１０ａを設けた効果を確認するため、図１に示す構成の薬剤供給具と、図９に示す構成の薬剤供給具とを用いて、上記と同様に２０回フラッシュ後に採取した水の吸光度を測定すると共に、取水口１５から水が導入される様子を観察した。貯水タンクは、東陶機器株式会社製の機種番号Ｓ７７１Ｂを使用した。この給水タンクは、給水受皿への水の供給量が、通常は５００ｍＬ／１０ｓｅｃであるが、本実施例ではより過酷な条件下で試験を行うため、給水受皿への水の供給量が、７５０ｍＬ／１０ｓｅｃ及び８００ｍＬ／１０ｓｅｃの場合について、それぞれ試験を行った。この結果を図１１に示す。
【００５２】
図１１の吸光度から明らかなように、給水受皿への水の供給量が増加した場合、図９に示す構成は、図１の構成に比べて薬剤の色出の増加を抑制できていることがわかる。取水口１５から水が導入される様子を観察したところ、図１の構成では、供給具本体１０の底面と給水受皿５２の上面との間に形成された隙間が僅かであるため、給水受皿５２への水の供給量が通常使用時よりも多くなることによって、流下口５４からの排出量よりも給水受皿５２への供給量が多くなる結果、給水受皿５２に水が溜まった状態になり、図１の側面視の状態では、取水口１５の上部が水面よりも僅かに露出するのみで、取水口１５の大部分が水没した状態となっていた。
【００５３】
これに対し、図９の構成では、突出部１５ａの下端が給水受皿５２の上面と当接することにより、給水受皿５２への供給量が通常の使用状態では生じ得ないほどの多量であっても、供給具本体１０の底面と給水受皿５２の上面との間を余剰水が十分通過可能であるため、各取水口１５から適量の水が連続的に導入されており、供給具本体１０内で各導水路１４を介して水が適切に分配されていることが推測された。
【符号の説明】
【００５４】
１    薬剤供給具
４    蓋体
１０  供給具本体
１２  排出口
１４  導水路
１５  取水口
１６  台座部
１７  連通路
１８  補助口
５０  固形薬剤
【図１】
0005579225.tif 000002
【図２】
0005579225.tif 000003
【図３】
0005579225.tif 000004
【図４】
0005579225.tif 000005
【図５】
0005579225.tif 000006
【図８】
0005579225.tif 000007
【図９】
0005579225.tif 000008
【図１１】
0005579225.tif 000009
【図１２】
0005579225.tif 000010
【図６】
0005579225.tif 000011
【図７】
0005579225.tif 000012
【図１０】
0005579225.tif 000013